(57)【要約】  【課題】  足場板の側縁に隙間を生じさせず、作業安全性の高い足場用幅木を提供する。  【解決手段】  幅木本体２の両端側面２ａの下端部に足場板Ｂの係止クランプＢａに係止させる略Ｕ字形状の係止金具３を回動自在に軸着すると共に、幅木本体２の両端の上端部には建枠Ａの脚柱Ａｂに引っ掛けて固定するフック金具４を備える。そして、幅木１の取り付け時には、幅木本体２の略Ｕ字形状の係止金具３を足場板Ｂの係止クランプＢａに係止させ、幅木本体２の下端縁が足場板Ｂ上面に当接するようにして幅木本体２を立設させた後、その上端部をフック金具４にて建枠Ａの脚柱Ａｂに引っ掛けて固定する。【選択図】  図５
2006022601.tif 000002
【特許請求の範囲】
【請求項１】
建枠及び足場板を組み上げてなる仮設用足場の足場板の周囲に取り付ける足場用幅木であって、幅木本体の両端側面の下端部に足場板の係止クランプに係止させる略Ｕ字形状の係止金具を回動自在に軸着すると共に、幅木本体の両端の上端部には建枠の脚柱に引っ掛けて固定する略Ｊ字形状のフック金具を備え、該フック金具はその基端軸部を幅木本体の長手方向と並行に配して回動自在に軸着し、かつ幅木本体の長手方向へ進退自在としてバネ体によって幅木本体の内方へ付勢させたことを特徴とする足場用幅木。
【請求項２】
前記フック金具はその基端軸部を中心に所定角度に回動させると幅木本体の厚み幅内に収まるように形成したことを特徴とする請求項１記載の足場用幅木。
【発明の詳細な説明】
【技術分野】
【０００１】
本発明は、仮設用足場の足場板の周囲に取り付けて作業安全を確保する足場用幅木に関する。
【背景技術】
【０００２】
従来より、建枠及び足場板を組み上げて構築する仮設用足場の足場板の周囲には、作業者の墜落防止などの作業安全を確保するために足場用の幅木が取り付けられている。前記幅木としては、例えば、実公平５−２８２７８号公報に示されるように、幅木本体の両端部に略Ｕ字形状の係止金具を備え、この係止金具を建枠の脚柱へ係止固定するようにしたものがある。
【特許文献１】実公平５−２８２７８号
【発明の開示】
【発明が解決しようとする課題】
【０００３】
しかしながら、実公平５−２８２７８号公報に示される従来の幅木では、幅木本体を建枠の脚柱にのみ取り付ける構成としているため、どうしても足場板の側縁には隙間が生じる。そして、何かの拍子で足場板が横へずれ動いて建枠の一方側へと偏ってしまった場合などには、その隙間が大きくなって作業安全が十分に確保できないおそれがある。
【０００４】
本発明は上記の点に鑑み、足場板の側縁に隙間を生じさせず、作業安全性の高い足場用幅木を提供することを課題とする。
【課題を解決するための手段】
【０００５】
上記の課題を解決するために、本発明に係る請求項１記載の足場用幅木にあっては、建枠及び足場板を組み上げてなる仮設用足場の足場板の周囲に取り付ける足場用幅木であって、幅木本体の両端側面の下端部に足場板の係止クランプに係止させる略Ｕ字形状の係止金具を回動自在に軸着すると共に、幅木本体の両端の上端部には建枠の脚柱に引っ掛けて固定する略Ｊ字形状のフック金具を備え、該フック金具はその基端軸部を幅木本体の長手方向と並行に配して回動自在に軸着し、かつ幅木本体の長手方向へ進退自在としてバネ体によって幅木本体の内方へ付勢させたことを特徴としている。
【０００６】
また、請求項２記載の足場用幅木にあっては、前記フック金具はその基端軸部を中心に所定角度に回動させると幅木本体の厚み幅内に収まるように形成したことを特徴としている。
【発明の効果】
【０００７】
本発明に係る請求項１記載の足場用幅木によれば、建枠及び足場板を組み上げてなる仮設用足場の足場板の周囲に取り付ける足場用幅木であって、幅木本体の両端側面の下端部に足場板の係止クランプに係止させる略Ｕ字形状の係止金具を回動自在に軸着すると共に、幅木本体の両端の上端部には建枠の脚柱に引っ掛けて固定する略Ｊ字形状のフック金具を備え、該フック金具はその基端軸部を幅木本体の長手方向と並行に配して回動自在に軸着し、かつ幅木本体の長手方向へ進退自在としてバネ体によって幅木本体の内方へ付勢させたので、この幅木を足場板に取り付ければ足場板と幅木との間に隙間はなく、常に高い作業安全性を確保できる。
【０００８】
また、請求項２記載の足場用幅木によれば、前記フック金具はその基端軸部を中心に所定角度に回動させると幅木本体の厚み幅内に収まるように形成したので、複数の幅木を嵩張らずに安定して積み重ねることができ、搬送や保管に好適である。
【発明を実施するための最良の形態】
【０００９】
本発明に係る請求項１記載の足場用幅木によれば、幅木の下端部を足場板の係止クランプに係止して幅木と足場板とを一体化するものであり、幅木本体の両端側面の下端部に足場板の係止クランプに係止させる略Ｕ字形状の係止金具を回動自在に軸着している。そして、幅木を取り付けるときには、前記係止金具を足場板の係止クランプへ上方から差し込んで係止させ、幅木本体の下端縁が足場板上面と近接または当接するように載置して幅木と足場板の一体化を図っている。
【００１０】
また、幅木本体の両端の上端部には建枠の脚柱に引っ掛けて固定する略Ｊ字形状のフック金具を備え、該フック金具はその基端軸部を幅木本体の長手方向と並行に配して回動自在に軸着し、かつ幅木本体の長手方向へ進退自在としてバネ体によって幅木本体の内方へ付勢させるようにしている。そして、幅木を建枠の脚柱に固定するときには、前記固定した係止金具を支点に幅木本体を建枠の脚柱側へ回動させ、幅木本体の上端縁が脚柱と近接または当接するまで傾倒させる。次に、幅木本体の両端の上端部に備えた略Ｊ字形状のフック金具をバネ体の付勢力に抗して幅木本体の側方へ引っ張り、フック部が略水平となるように回動させて調節した後、フック金具を離してバネ体の復元力によってフック部を建枠の脚柱に引っ掛けて固定を完了するのである。。
【００１１】
このように、幅木の下端部を足場板の係止クランプに係止させて足場板の側縁に立設しているので、従来のように足場板の側縁に隙間が生じることもなく、また何かの拍子で足場板が左右にずれ動いたとしても足場と幅木が一体となって動くので隙間を生ずることはなく、作業の安全性が確保される。また、簡単な操作で幅木を立設することができ、高所作業に対して好適である。
【００１２】
また、請求項２記載の足場用幅木によれば、フック金具を幅木本体と略平行となるように回動させた場合にフック金具が幅木本体の厚み幅内に収まるように形成する。そして、複数の幅木を搬送する場合や、保管する場合などには、各幅木のフック金具を回動させてフック金具が幅木の上下面よりはみ出さないようにしたうえで各幅木を積み重ねていく。
【００１３】
このように、簡単な操作で複数の幅木を嵩張らずに安定して積み重ねることができ、搬送時や保管時に崩れるようなおそれもなくて好適である。
【実施例】
【００１４】
以下、本発明の実施例を図面に基づいて説明する。
【００１５】
図１及び図２は建築現場などで複数の建枠Ａを所定間隔にて立設し、隣接する建枠Ａの横架材Ａａ間に足場板Ｂを、また建枠Ａの脚柱Ａｂ間に筋交いＣを掛け止めてなる仮設用足場を示しており、前記足場板Ｂの周囲には本発明の足場用幅木１を取り付けている。前記幅木１は、足場板Ｂと略同一長さの軽量溝形鋼部材からなる幅木本体２を主体とし、該幅木本体２の両端側面２ａの下端部にそれぞれ足場板Ｂの係止クランプＢａ上へ係止させる係止金具３を備えていると共に、幅木本体２の両端側面２ａの上端部にはそれぞれ建枠Ａの脚柱Ａｂに引っ掛けて固定するフック金具４を備えている。
【００１６】
図３乃至図５は要部拡大図であって、前記係止金具３は、所定幅のスリット５を有する略Ｕ字形状の板状金具であり、幅木本体２の両端側面２ａと平行に配置し、上端部を軸体６にて幅木本体２の両端側面２ａに回動自在に軸着している。また、前記スリット５は足場板Ｂの係止クランプＢａに嵌め入れる幅を有しており、図５に示すように、スリット５を係止クランプＢａの基端部へ上方から差し込んで係止できるようにしている。そして、係止金具３を係止固定すれば、図５に示すように、幅木本体２は軸体６を支点として脚柱Ａｂ側に回動できるようになる。
【００１７】
前記フック金具４は、建枠Ａの脚柱Ａｂに引っ掛けて固定可能なように略Ｊ字形状に折曲形成した棒状金具であり、幅木本体２の両端に備え、その円弧状のフック部７を幅木本体２の長手方向側方に突出させていると共に、直線状の基端軸部８を幅木本体２の長手方向と並行に配して図３及び図４中の矢印方向へ進退自在とし、かつ基端軸部８にはバネ体９を外装して幅木本体２の内方へ付勢させている。また、１０はフック金具４操作用の操作片である。そして、前記フック部７を脚柱Ａｂに引っ掛けさえすれば、バネ体９の復元力によって幅木本体２は強固に固定される。このように、高所作業に適した簡単な操作でありながら確実に固定可能としていると共に、取り付け用の工具なども必要とせず、設置作業性に優れたものとしている。
【００１８】
また、このフック金具４は、基端軸部８を幅木本体２に対して回動自在に軸着しており、図５に示すように、幅木本体２の傾斜角度が変化してもフック金具４を常に水平に位置させることができ、建枠Ａの脚柱Ａｂを確実に引っ掛けて固定できるようにしている。なお、フック金具４の取り付け位置を幅木本体２の左右側で上下に若干ずらしており、図３に示すように、仮設用足場に連続して幅木１を取り付けた際に、各幅木１のフック金具４同士が干渉しないように図っている。
【００１９】
また、フック金具４は、図６に示すように、幅木本体２と略平行となる位置まで回動させれば幅木本体２の厚み幅Ｌ内に収まるように形成しており、複数の幅木１を搬送、保管する場合などには、フック金具４が邪魔にならずに安定して積み重ねることができるように図っている。
【００２０】
しかして、上記足場用幅木１を取り付けるときには、足場板Ｂ両端の各係止クランプＢａ上に幅木１両端の各係止金具３のスリット５をそれぞれ差し込んで係止固定させる。次に、係止金具３の軸体６を支点に幅木本体２を脚柱Ａｂ側へ回動させ、幅木本体２の上端縁が脚柱Ａｂ側面と近接または当接するまで傾倒させる。続いて、フック金具４をバネ体９の付勢力に抗して幅木本体２の側方へ引っ張った後、フック部７が略水平位置となるまで回動させてフック部７の開口部を脚柱Ａｂに対向させる。そして、その状態からフック金具４を離すと、バネ体９の復元力によってフック金具４が幅木本体２の内方へ短縮していき、フック部７が脚柱Ａｂに引っ掛かって固定される。
【００２１】
このように、幅木１は、その下端部を足場板Ｂの係止クランプＢａに係止して足場板Ｂの側縁に立設するものであるので、足場板Ｂの側縁に隙間が生じることもなく、また足場板Ｂと幅木１が一体となっているので足場板Ｂが左右にずれにくく、例え何かの拍子に左右にずれ動いたとしても、足場板Ｂと一体となって幅木１も動き、足場板Ｂの側縁に隙間を生ずることもなく、安全性が確保される。更に、幅木１を設置する作業も上記の通り簡単なものであるので、高所作業に適しており、また装置構造もごくシンプルなものであるので、製造コストを抑えることができると共に、メンテナンス面でも有利である。
【００２２】
一方、幅木１を搬送するときや、保管するときには、幅木本体２の両端のフック金具４をそれぞれ回動させ、幅木本体２と略平行となるように位置させる。このとき、フック金具４は幅木本体２の厚み幅Ｌ内に収まるように形成しており、フック金具４が邪魔とならずに複数の幅木１を嵩張らずに安定して積み重ねることができ、搬送や保管時に崩れるようなおそれもなくて好適である。
【図面の簡単な説明】
【００２３】
【図１】本発明に係る足場用幅木を仮設用足場に取り付けた状態を示す正面図である。
【図２】図１の一部省略平面図である。
【図３】図１の一部切り欠き要部拡大図である。
【図４】図２の一部切り欠き要部拡大図である。
【図５】図３のＸ−Ｘ線矢視、一部切り欠き断面図である。
【図６】本発明に係る足場用幅木を積み重ねた状態を示す説明図である。
【符号の説明】
【００２４】
１…幅木                      ２…幅木本体
３…係止金具                  ４…フック金具
５…スリット                  ６…軸体
７…フック部                  ８…基端軸部
９…バネ体                  １０…操作片
Ａ…建枠                    Ａａ…横架材
Ａｂ…脚柱                      Ｂ…足場板
Ｂａ…係止クランプ              Ｃ…筋交い
【図１】
2006022601.tif 000003
【図２】
2006022601.tif 000004
【図３】
2006022601.tif 000005
【図４】
2006022601.tif 000006
【図５】
2006022601.tif 000007
【図６】
2006022601.tif 000008
【手続補正書】
【提出日】平成16年12月8日(2004.12.8)
【手続補正１】
【補正対象書類名】図面
【補正対象項目名】図５
【補正方法】変更
【補正の内容】
【図５】
2006022601.tif 000009